(57)【要約】      （修正有）【課題】毛髪用ではない他の用途に代用し得る人口毛を提供する。【解決手段】ポリエステルその他の合成繊維からなる毛１を縮ませ、縮ませた多数の毛１，１を搦めて毛たぼ２とする。毛たぼ２はベースがないので生えたように自然で、形も大きさも毛量も自分で簡単につくることができる。したがって、自髪やかつらを被った場合の生え際の産毛、あるいは、もみあげ、眉毛、各種のひげなどの顔毛、さらには、胸毛、臑毛などの体毛に用いても、ほとんどの場合擬似毛という感じがせず、使用していても極めて自然である。毛たぼ２を容器３内に詰め込んでおくと、容器３の中から使用目的に応じて適量の毛たぼ２を摘み出し、指先でそれを容易に使用箇所に応じた形と大きさとボリュームにすることができる。毛たぼ２が傷んだり型崩れすることがなく、汚れることもない。【選択図】図１
0003144301.tif 000002
【実用新案登録請求の範囲】
【請求項１】
ポリエステルその他の合成繊維からなる毛１を縮ませ、縮ませた多数の毛１，１を搦めて毛たぼ２としたことを特徴とする人工毛。
【請求項２】
毛たぼ２を容器３内に詰め込んだことを特徴とする請求項１記載の人工毛。
【請求項３】
容器３が透明であることを特徴とする請求項２記載の人工毛。
【考案の詳細な説明】
【技術分野】
【０００１】
本考案は、頭髪代わりに用いるのではなく、自髪やかつらを被った場合の生え際の産毛代わりに、あるいは、もみあげ、眉毛、各種のひげなどの顔毛代わりに、さらには、胸毛、臑毛などの体毛代わりに用いることができる人工毛に関するものである。
【背景技術】
【０００２】
種々の合成繊維からなる人工毛は、かつらあるいはヘアーウィッグ用など、通常頭髪代わりに用いられている。
【０００３】
また、機械的強度に優れ、天然毛髪に類似する光沢を有し、しかも、難燃性を良好ならしめるために、リン化合物を逐次添加した人工毛髪も提案されている（例えば、特許文献１参照）。
【０００４】
【特許文献１】特開平６−３１６８０２号公報
【考案の開示】
【考案が解決しようとする課題】
【０００５】
このように、従来の人工毛はほとんど毛髪用であり、それを他の用途、例えば、自髪やかつらを被った場合の生え際の産毛代わりに、あるいは、もみあげ、眉毛、各種のひげなどの顔毛代わりに、さらには、胸毛、臑毛などの体毛代わりに用いようとしても、他の用途に代用することができない。それは、従来の人工毛が頭髪の域を出ないために、他の用途に用いたとき擬似毛という感じを拭い切れないからである。
【０００６】
本考案は、この欠点を解消し得るようにしたものであって、毛髪用ではない他の用途に代用し得る人工毛を提供することを目的とするものである。
【課題を解決するための手段】
【０００７】
上記目的を達成するために、本考案では、ポリエステルその他の合成繊維からなる毛１を縮ませ、縮ませた多数の毛１，１を搦めて毛たぼ２としてある。この場合における毛たぼ２は、ベースがないので生えたように自然で、形も大きさも毛量も自分で簡単につくることができる。したがって、自髪やかつらを被った場合の生え際の産毛、あるいは、もみあげ、眉毛、各種のひげなどの顔毛、さらには、胸毛、臑毛などの体毛に用いても、ほとんどの場合擬似毛という感じがせず、使用していても極めて自然である。
【０００８】
毛たぼ２を容器３内に詰め込んでおくと良い。このようにした場合には、容器３の中から使用目的に応じて適量の毛たぼ２を摘み出し、指先でそれを容易に使用箇所に応じた形と大きさとボリュームにすることができるので、自髪やかつらを被った場合の生え際の産毛、あるいは、もみあげ、眉毛、各種のひげなどの顔毛、さらには、胸毛、臑毛などの体毛など、本物に酷似する極めて自然な擬似毛とするのに便利である。また、毛たぼ２は容器３内に詰め込まれているから、毛たぼ２が傷んだり型崩れすることがなく、汚れることもない。
【０００９】
容器３は透明であることが望ましい。容器３をこのようにした場合には、容器３内に詰め込まれている毛たぼ２を容器３外から透視できるので、摘み出す毛たぼ２の毛量や容器３内の毛たぼ２の残量を容易に把握することができる。
【考案の効果】
【００１０】
請求項１記載の考案における毛たぼ２は、ベースがないので生えたように自然で、形も大きさも毛量も自分で簡単につくることができるから、自髪やかつらを被った場合の生え際の産毛、あるいは、もみあげ、眉毛、各種のひげなどの顔毛、さらには、胸毛、臑毛などの体毛に用いても、ほとんどの場合擬似毛という感じがせず、使用していても極めて自然である。
【００１１】
請求項２記載の考案によれば、容器３の中から使用目的に応じて適量の毛たぼ２を摘み出し、指先でそれを容易に使用箇所に応じた形と大きさとボリュームにすることができるので、自髪やかつらを被った場合の生え際の産毛、あるいは、もみあげ、眉毛、各種のひげなどの顔毛、さらには、胸毛などの体毛など、本物に酷似する極めて自然な擬似毛とするのに便利である。また、毛たぼ２は容器３内に詰め込まれているから、毛たぼ２が傷んだり型崩れすることがなく、汚れることもない。
【００１２】
請求項３記載の考案によれば、容器３内に詰め込まれている毛たぼ２を容器３外から透視できるので、摘み出す毛たぼ２の毛量や容器３内の毛たぼ２の残量を容易に把握することができる。
【考案を実施するための最良の形態】
【００１３】
本考案を実施するための最良の形態について、図面を参照しながら詳細に説明する。
ここに例示する人工毛は、自髪やかつらを被った場合の生え際の産毛代わりに、あるいは、もみあげ、眉毛、鼻ひげ、あごひげ等のひげなどの顔毛代わりに、さらには、胸毛、臑毛などの体毛代わりに用いることができるものであり、基本的には、ポリエステルその他の合成繊維からなる毛１を縮ませ、縮ませた多数の毛１，１を図１に示すように搦めて毛たぼ２としたものである。
【００１４】
この場合における毛たぼ２は、ベースがないので生えたように自然で、形も大きさも毛量も自分で簡単につくることができる。したがって、図２においてＡで示すように、自髪やかつらを被った場合の生え際の産毛、あるいは、図３においてＢで示すもみあげ、図４においてＣで示す眉毛、図５においてＤで示す鼻ひげや図６においてＥで示すあごひげなどの顔毛、さらには、図７においてＦで示す胸毛、図示はしないが臑毛などの体毛に用いても、ほとんどの場合擬似毛という感じがせず、使用していても極めて自然である。
【００１５】
毛たぼ２からつくり上げられる本物に酷似した極めて自然な擬似毛Ａ〜Ｆ（例えば、上に例示したもの）をつくり上げるには、毛たぼ２を指で適量摘んで指先で丸め、平均した厚みに広げて伸ばし、しかる後、大きさ、形、毛量（ボリューム）等を自分の好みにカット整形すると良い。
【００１６】
前記擬似毛Ａ〜Ｆの量は、使用箇所に適する量に対応させて増量もしくは減量し、最も自然な感じになるようにするのが良い。また、出来るだけふっくらさせる方が、より自然な感じになる。
【００１７】
前記擬似毛Ａ〜Ｆを所定箇所に固定するに当っては、例えば、テープや両面テープ、特殊な接着剤を用いると良い。また、接着能力のある特殊なスプレーを噴霧するだけで固定することもできる。
【００１８】
毛たぼ２を構成する多数の毛１，１は、前記産毛、もみあげ、眉毛、各種のひげなどの顔毛、胸毛、臑毛などの体毛に見合う太さにすると良い。また、利用する人の毛の太さや色に応じて、多数の毛１，１の太さと色を変えることもできる。
【００１９】
そして、本物に酷似する極めて自然な前記擬似毛Ａ〜Ｆに、竹炭からなる粒子径１３μｍ程度の微粉末、あるいは、この微粉末を含有するスプレー組成物その他のへアーケア商品を振り掛ければ、前記擬似毛Ａ〜Ｆのボリュームがさらに増し、より一層本物に酷似する極めて自然な擬似毛となる。
【００２０】
ここには、図８に示すように、前記毛たぼ２を容器３内に詰め込んだ場合が例示されている。このようにした場合には、容器３の中から使用目的に応じて適量の毛たぼ２を摘み出し、指先でそれを容易に使用箇所（図２〜図７参照）に応じた形と大きさとボリュームにすることができる。したがって、自髪やかつらを被った場合の生え際の産毛Ａ、あるいは、もみあげＢ、眉毛Ｃ、鼻ひげＤやあごひげＥなどの顔毛、さらには、胸毛Ｆや臑毛などの体毛など、本物に酷似する極めて自然な擬似毛とするのに便利である。また、毛たぼ２は容器３内に詰め込まれているから、毛たぼ２が傷んだり型崩れすることがなく、汚れることもない。
【００２１】
なお、ここには、容器３の口部のねじ３ａにキャップ４を着脱させ得る形式の容器が例示されている。容器３及びキャップ４は合成樹脂製とすることができる。容器３及びキャップ４を合成樹脂製とした場合には、落としても割れない。
【００２２】
また、ここには、少なくとも容器３を透明とした場合が例示されている。少なくとも容器３を透明としたから、図８に示すように、容器３内に詰め込まれている毛たぼ２を容器３外から十分透視できる。したがって、摘み出す毛たぼ２の毛量や容器３内の毛たぼ２の残量を容易に把握することができる。
【図面の簡単な説明】
【００２３】
【図１】本考案による人工毛の一例を示す斜視図で、一部をさらに拡大して示す。
【図２】本考案による人工毛を、自髪やかつらを被った場合の生え際の産毛代わりに用いた場合の使用状態を示す斜視図である。
【図３】本考案による人工毛を、もみあげ代わりに用いた場合の使用状態を示す斜視図である。
【図４】本考案による人工毛を、眉毛代わりに用いた場合の使用状態を示す斜視図である。
【図５】本考案による人工毛を、鼻ひげ代わりに用いた場合の使用状態を示す斜視図である。
【図６】本考案による人工毛を、あごひげ代わりに用いた場合の使用状態を示す斜視図である。
【図７】本考案による人工毛を、胸毛代わりに用いた場合の使用状態を示す斜視図である。
【図８】毛たぼを透明の容器内に詰め込んだ状態を示す正面図で、キャップを外した状態でキャップとともに示す。
【符号の説明】
【００２４】
１…毛、２…毛たぼ、３…容器、４…キャップ、Ａ…生え際の産毛、Ｂ…もみあげ、Ｃ…眉毛、Ｄ…鼻ひげ、Ｅ…あごひげ、Ｆ…胸毛。
【図１】
0003144301.tif 000003
【図２】
0003144301.tif 000004
【図３】
0003144301.tif 000005
【図４】
0003144301.tif 000006
【図５】
0003144301.tif 000007
【図６】
0003144301.tif 000008
【図７】
0003144301.tif 000009
【図８】
0003144301.tif 000010